(57)【要約】【課題】口腔領域の外傷や脳震盪などの予防ができるのに加えて、衝撃に対する脳震盪の可能性などを使用者本人や第三者が判断できるマウスガードを提供する。【解決手段】このマウスガード１は、人体の頚頭部（顔面や頭などを含む首から上の部分）への衝撃を検知して検知信号を出力するセンサー部３と、前記検知信号に対応する電波信号を送信する送信部４と、前記検知信号（衝撃の強弱）に応じて発色する有機ＥＬ素子５を含む電子機器２が組み込まれている。また、該電波信号を増幅して送信する中継器と、を備えてなることを特徴とするマウスガード。【選択図】図１
2017170101.tif 000002
【特許請求の範囲】
【請求項１】
人体の頚頭部への衝撃を検知して検知信号を出力するセンサー部と、前記検知信号に対応する電波信号を送信する送信部と、を含む電子機器が組み込まれていることを特徴とするマウスガード。
【請求項２】
請求項１に記載のマウスガードにおいて、
前記電子機器は、前記検知信号に応じて発色する有機ＥＬ素子を更に含んでいることを特徴とするマウスガード。
【請求項３】
請求項１又は２に記載のマウスガードにおいて、
高衝撃吸収性樹脂と前記電子機器をＥＶＡ樹脂又はポリオフィレン樹脂でラミネートしていることを特徴とするマウスガード。
【請求項４】
請求項１〜３のいずれか１項に記載のマウスガードと、
人体に装着し、前記マウスガードから送信された前記電波信号を受信し、該電波信号を増幅して送信する中継器と、を備えてなることを特徴とするマウスガード。
【発明の詳細な説明】
【技術分野】
【０００１】  本発明は、電子機器を装備したマウスガード及びマウスガードシステムに関する。
【背景技術】
【０００２】  マウスガードは、衝撃による口腔領域の外傷や脳震盪などの予防を目的とするものである。
【発明の概要】
【発明が解決しようとする課題】
【０００３】  しかしながら、従来のマウスガードは、ただ単に口腔領域の外傷や脳震盪などの予防ができるものであり、衝撃に対する脳震盪の可能性などを判断できるものではなかった。【０００４】  本発明は係る事由に鑑みてなされたものであり、その目的は、口腔領域の外傷や脳震盪などの予防ができるのに加えて、衝撃に対する脳震盪の可能性などを判断できるマウスガード及びマウスガードシステムを提供することにある。
【課題を解決するための手段】
【０００５】  上記目的を達成するために、請求項１に記載のマウスガードは、人体の頚頭部へ（顔面や頭などを含む首から上の部分）の衝撃を検知して検知信号を出力するセンサー部と、前記検知信号に対応する電波信号を送信する送信部と、を含む電子機器が組み込まれていることを特徴とする。【０００６】  請求項２に記載のマウスガードは、請求項１に記載のマウスガードにおいて、前記電子機器は、前記検知信号に応じて発色する有機ＥＬ素子を更に含んでいることを特徴とする。【０００７】  請求項３に記載のマウスガードは、請求項１又は２に記載のマウスガードにおいて、高衝撃吸収性樹脂と前記電子機器をＥＶＡ樹脂又はポリオフィレン樹脂でラミネートしていることを特徴とする。【０００８】  請求項４に記載のマウスガードシステムは、請求項１〜３のいずれか１項に記載のマウスガードと、人体に装着し、前記マウスガードから送信された前記電波信号を受信し、該電波信号を増幅して送信する中継器と、を備えてなることを特徴とする。
【発明の効果】
【０００９】  本発明のマウスガード及びマウスガードシステムによれば、口腔領域の外傷や脳震盪などの予防ができるのに加えて、衝撃に対する脳震盪の可能性などを判断できる。
【図面の簡単な説明】
【００１０】
【図１】本発明の実施形態に係るマウスガードを示す斜視図である。
【図２】同上のマウスガードの使用状態を示す斜視図である。
【図３】同上のマウスガードシステムを示す模式図である。
【発明を実施するための形態】
【００１２】  以下、本発明を実施するための形態を図面を参照しながら説明する。本発明の実施形態に係るマウスガード１は、電子機器２が組み込まれている。
【００１３】    電子機器２は、基本構成として、センサー部３と送信部４とを含んでいる。
【００１４】  センサー部３は、人体の頚頭部（顔面や頭などを含む首から上の部分）への衝撃を検知して検知信号を出力するものである。センサー部３は、通常、加速度センサーが用いられる。センサー部３の位置は、人体の臼歯部が好ましい。臼歯部への衝撃の強さは、脳への衝撃の強さと大きく関係している。また、臼歯部は、頬粘膜と歯茎の間にスペースが有るので、電子機器２が配置し易い。
【００１５】  加速度センサーは、１軸又は多軸のものであり、或いは、１軸及び多軸のものを併せて用いてもよい。多軸のものは、頚頭部へ（顔面や頭などを含む首から上の部分）の前後、左右、上下などの衝撃を検知でき、衝撃の強さを総合的に検知できる。
【００１６】  送信部４は、センサー部３の検知信号に対応する電波信号を送信するものである。電波信号としては、ブルートゥースなどを用いることができる。
【００１７】  マウスガード１の電子機器２は、センサー部３の検知信号に応じて発色する有機ＥＬ素子５を更に含んでいるのが好ましい。有機ＥＬ素子５は、人体の前歯部に配置される。それによって、外部から衝撃及びその強さを視認できるようになる。
【００１８】  なお、マウスガード１は、電子機器２の電力供給のために、電池６を含んでいる。電池６は、通常は２次電池が用いられる。電池６は、小さい方が好ましく。また、例えば、最低２〜３時間、使用可能なものが好ましい。なお、図中の符号７で示すのは、配線である。
【００１９】  マウスガード１は、高衝撃吸収性樹脂８と電子機器２をＥＶＡ樹脂（又はポリオフィレン樹脂）９でラミネートしているのが好ましい。ＥＶＡ樹脂（又はポリオフィレン樹脂）９は、従来のマウスガードで用いられたものであるが、マウスガード１では、厚さを薄くしてラミネートのために２枚用いる。高衝撃吸収性樹脂８をＥＶＡ樹脂（又はポリオフィレン樹脂）９でラミネートすることにより、トータルで従来のマウスガードより薄くし良い装着感とすることが可能である。
【００２０】  このようにして、マウスガード１では、口腔領域の外傷や脳震盪などの予防ができるのに加えて、電子機器２によって、人体の頚頭部（ひいては、脳）への衝撃が数値化できる。指導者は、衝撃を正確に把握することができ、脳震盪の可能性などに基づいて、継続して運動等を行わせるか、中止して安静にさせるか、緊急搬送するか、などを判断することができる。本人が、判断することも可能である。１回の衝撃に限らず、衝撃の累積によって判断することも可能である。
【００２１】  また、マウスガードシステム１０として、マウスガード１に加えて、中継器１１を備えることが好ましい。中継器１１は、人体に装着し、マウスガード１から送信された電波信号を受信し、この電波信号を増幅して送信する。これは、マウスガード１は、口腔内に装着されるので、遠隔まで電波信号が飛びにくいからである。中継器１１によって、電波信号を遠隔に飛ばすことができるようになる。
【００２２】  上述のマウスガード１及びマウスガードシステム１０を各スポーツ（例えば、ラグビーなど）の練習、試合などで使用することができる。
【００２３】以上、本発明の実施形態に係るマウスガード及びマウスガードシステムについて説明したが、本発明は、上述の実施形態に記載したものに限られることなく、特許請求の範囲に記載した事項の範囲内でのさまざまな設計変更が可能である。
【符号の説明】
【００２４】  １    マウスガード
２    電子機器
３    加速度センサー
４    送信器
５    有機ＥＬ素子
６    電池
７    配線
８    高衝撃吸収樹脂
９    ＥＶＡ樹脂（又はポリオフィレン樹脂）
１０    マウスガードシステム
１１    中継機
【図１】
2017170101.tif 000003
【図２】
2017170101.tif 000004
【図３】
2017170101.tif 000005